(57)【要約】【課題】複数の記録層を持つ光ディスクにおいて、短時間に安定したテスト記録を実現する。【解決手段】記録光からみて手前に位置する第１の記録層（１０２）と、奥に位置する第２の記録層（１０３）を有し、記録光によって情報の記録が可能な光ディスクであって、第１及び第２の記録層は、情報を記録する際の最適記録パワー調整のためのパワー調整領域（Ｐ１、Ｐ２）を有し、第２の記録層のパワー調整領域（Ｐ２）に対して最適記録パワー調整を行う際に、パワー調整に使用する第２の記録層のパワー調整領域（Ｐ２）に対応する第１の記録層のパワー調整領域と、その両側に制限領域（Ａ１、Ａ２）が、プリライト領域（ＰＷ）として設けられる。制限領域（Ａ１、Ａ２）は、貼り合わせによるズレ量と記録光の径を加味したものである。【選択図】図４
2007134026.tif 000002
【特許請求の範囲】
【請求項１】
記録光からみて手前に位置する第１の記録層と、奥に位置する第２の記録層との少なくとも２層を有し、前記記録光によって情報の記録が可能な光ディスクであって、
前記第１の記録層及び前記第２の記録層は、前記情報を各記録層に記録する際に最適な前記記録光のパワーを調整する際に使用するパワー調整領域を各々有し、
前記第１の記録層は、
前記第２の記録層のパワー調整領域に対応する位置に、当該第２の記録層のパワー調整領域と、該パワー調整領域に隣接する領域であって、該領域に対応する前記第１の記録層の領域が記録済みとなるまで情報の記録がされない領域である制限領域とを加えた領域をプリライト領域として有し、
前記第１の記録層又は前記第２の記録層は、当該光ディスクへの情報の記録に際して使用される情報を記録する記録管理領域を有し、
前記記録管理領域は、前記プリライト領域の記録最終端のアドレス情報が記録される
ことを特徴とする光ディスク。
【請求項２】
請求項１に記載の光ディスクへの情報の記録を行う記録方法であって、
前記光ディスクにおける前記パワー調整領域を使用して、前記記録光のパワーを調整し、
該調整後のパワーを有する前記記録光によって前記情報の記録を行う記録方法。
【請求項３】
請求項１に記載の光ディスクへの情報の記録を行う記録装置であって、
前記光ディスクにおける前記パワー調整領域を使用して、前記記録光のパワーを調整する手段と、
該調整後のパワーを有する前記記録光によって前記情報の記録を行う手段と
を備える記録装置。
【発明の詳細な説明】
【技術分野】
【０００１】
本発明は、複数の記録層を持ち、各記録層における最適記録パワーを設定するためのテスト記録領域を各層に有する光ディスク、並びに該光ディスクを駆動する光ディスク装置及び光ディスク駆動方法、並びに光ディスク記録方法及び装置に関するものである。
【背景技術】
【０００２】
記録機能を有する光ディスクにおいて、最適な記録条件で記録を行うためにテスト記録領域が設けられているが、複数の記録層を有する場合、記録光が入射する側から見て奥の層に記録を行う場合、手前の層が記録済状態であるか否かで最適記録条件が異なっており、手前の層の状態を把握する必要があった。
【０００３】
この対応策として、情報を記録しようとする層より手前の層の記録状態を確認し、同じ条件にてテスト記録を実施するものがある（例えば特許文献１参照）
【０００４】
【特許文献１】特開２０００−３１１３４６号公報（第１−１５貢、第１−８図）
【発明の開示】
【発明が解決しようとする課題】
【０００５】
複数層の記録層を持つ光ディスクでは、記録光が入射する側から見て奥の記録層に記録を行う場合に手前の記録層の状態を確認してから情報の記録を行うため、情報の記録開始までに時間がかかるという問題点があった。
【０００６】
この発明は、上記のような問題点を解決するためになされたもので、短い時間で安定した情報の記録を行うことができるようにすることを目的としている。
【課題を解決するための手段】
【０００７】
本発明は、
記録光からみて手前に位置する第１の記録層と、奥に位置する第２の記録層との少なくとも２層を有し、前記記録光によって情報の記録が可能な光ディスクであって、
前記第１の記録層及び前記第２の記録層は、前記情報を各記録層に記録する際に最適な前記記録光のパワーを調整する際に使用するパワー調整領域を各々有し、
前記第１の記録層は、
前記第２の記録層のパワー調整領域に対応する位置に、当該第２の記録層のパワー調整領域と、該パワー調整領域に隣接する領域であって、該領域に対応する前記第１の記録層の領域が記録済みとなるまで情報の記録がされない領域である制限領域とを加えた領域をプリライト領域として有することを特徴とする光ディスクを提供する。
【発明の効果】
【０００８】
本発明によれば、各々の記録層のテスト記録領域が確保でき、安定した記録条件を設定することができる。
【発明を実施するための最良の形態】
【０００９】
実施の形態１．
図１は本発明の実施の形態における、片面に記録層を２層もつ記録型光ディスクを示した図である。図１において、１００は光ディスク、１００ｃは光ディスクの回転中心軸線、１０２は第１層目の記録層、１０３は第２層目の記録層、１１０は光ディスク１００へ記録するための最適記録パワーを調整するためのパワー調整領域、１１１は記録に関する管理情報や制御情報を記録する記録管理領域、１１２、１１４は再生専用プレーヤなどで再生可能とするために、再生専用ディスクとの互換性をもたせるための情報を記録する互換性用領域である。また、１１２には光ディスク１００のディスク管理情報が記録されているディスク管理領域が含まれている。互換性用領域１１２と互換性用領域１１４との間には、データを記録するためのデータ領域１１３があり、光ディスク装置によって所望のデータが記録される。光ディスク１００には、内周側から外周側に向かって、パワー調整領域１１０、記録管理領域１１１、互換性用領域１１２、データ領域１１３、互換性用領域１１４が存在している。１２０は光ピックアップの対物レンズ、１０１は対物レンズから出射されるビーム（記録光）を示しており、当該ビーム１０１によって光ディスク１００への情報の記録及び／又は再生が可能となる。
【００１０】
図１において、第２層目の記録層１０３に記録を実施する場合、第１層目の記録層１０２に記録されているか否かで、第２層目に対して異なった記録条件で記録を行う必要がある。従って、第２層目に記録する場合、第１層目の記録状態を把握する必要があるが、記録開始までの時間がかかるなどの問題点があるため、データの記録時は第１層目を先ず記録し、次いで第２層目を記録することによって、第２層目を記録する時は、記録しようとする第２層目の領域に対応する第１層目の領域は必ず記録されていることになり、記録条件を一定にできる。
【００１１】
光ディスク１００にデータを記録する前には、一般的に試し書きにより最適な記録パワー調整を実施する。光ディスク１００にはデータを記録するための領域とは別に、例えば光ディスクの最内周部に記録パワー調整用のパワー調整領域１１０が設けられている。記録パワーの調整は記録層毎に実施し、記録しようとする記録層と同層に存在するパワー調整領域１１０でパワー調整を実施する。ここで、第２層目の記録パワーを調整する場合は、第２層目のデータ領域を記録する場合と記録条件を合わせる為に、第２層目のパワー調整領域に対応する第１層目のパワー調整領域１１０は記録済である必要がある。
【００１２】
図２は、光ディスクの層構成をより詳細に示すとともに、記録層とビームの関係を示した図である。図２において、１００は光ディスク、１０１は記録再生時に光ディスク１００に入射するビーム、１０２は第１層目の記録膜、１０３は第２層目の記録膜、１０６は基板、１０７はスペーサである。また１０４ａは第１層目の記録膜１０２のうちの、記録済状態の部分を示し、１０４ｂは第１層目の記録膜１０２のうちの、未記録状態の部分を示す。Ｑａは第２層目の記録膜１０３への記録開始位置、１０５は記録開始位置Ｑａから記録する領域と方向を示した矢印、ｔは第１層目の記録膜１０２と第２層目の記録膜１０３との距離、Ｄは第２層目の記録膜１０３で記録再生する場合の第１層目の記録膜１０２におけるビーム１０１の直径を示している。
【００１３】
第２層目の記録膜１０３へ記録を実施する場合は、第１層目の記録膜１０２の状態がビーム１０１の径Ｄ内において、記録状態１０４ａの様に同様でないと第２層目の記録膜１０３への記録状態に影響を与えてしまう。従って、第２層目の記録膜１０３への記録開始位置Ｑａから記録する領域側１０５に対して、第１層目の記録膜１０２にはビーム径Ｄの半分の領域を余分に追加した領域で記録状態を同一にする必要がある。
【００１４】
図３は第１層目と第２層目の位置のズレを示した図である。図３（ａ）は貼り合わせによるズレが無い場合を、図３（ｂ）は貼り合わせのズレが有る場合（ズレ量が最大の場合）を示す。図において、Ｑｂは理想的なディスクのあるアドレスにおける位置、Ｑｂ１は第１層目の記録層１０２における位置Ｑｂに対応する位置、Ｑｂ２は第２層目の記録層１０３における位置Ｑｂに対応する位置、ｅはディスクの最大偏芯量を示している。
図３（ａ）に示す様に、貼り合わせにより第１層目の記録層１０２と第２層目の記録層１０３の位置にズレが生じていない場合は、第１層目の位置Ｑｂ１と第２層目の位置Ｑｂ２は等しい位置となる。第２層目の記録膜１０３に対して位置Ｑｂから矢印１０５の方向に記録を行う場合、第１層目の記録膜１０２の記録状態は、図３（ａ）に示す様に、位置Ｑｂ１のみを考慮した領域では同一の記録状態１０４ａにする必要がある。
【００１５】
また、図３（ｂ）に示す様に、貼り合わせにより第１層目の記録層１０２と第２層目の記録層１０３の位置にズレが生じている場合は、第１層目の位置Ｑｂ１と第２層目の位置Ｑｂ２の間でｅのずれ量が生じる。
この貼り合わせによるズレは、光ディスク１００の中心位置からの偏芯により生じ、第１層目の記録層１０２と第２層目の記録層１０３との位置のズレ量の最大値は偏芯量の最大値分ｅとなる。
この貼り合わせによるズレが生じた光ディスク１００の第２層目の記録層１０３に位置Ｑｂ２から記録を矢印１０５の方向に記録を行う場合、第１層目の記録層１０２の記録状態は、図３（ｂ）に示す様に、位置Ｑｂ１から最大偏芯量ｅを考慮した位置の領域において同一の記録状態１０４ａにする必要がある。
【００１６】
従って、第２層目の記録層１０３に記録する際には、第２層目の記録層１０３の記録位置に対して、図２で説明した上記ビーム１０１の影響と図３（ｂ）のような貼り合わせによるズレとを考慮した上で、第１層目の記録層１０２の領域を常に同一の記録状態にする必要がある。
このような余裕を持たせた領域を制限領域Ａとすると、制限領域Ａの幅Ａｗは、ビーム１０１の径Ｄの半分と貼り合わせによる最大ズレ量となる光ディスク１００の偏芯量ｅの両方を考慮して、Ａｗ＝ｅ＋Ｄ／２となる。
ここで、例えば光ピックアップの対物レンズ１２０のＮＡが０．６で、第１層目の記録層１０２と第２層目の記録層１０３との最大距離を６５μｍ（５５±１５μｍ）とした場合、ビーム１０１の径Ｄが５６μｍとなる。また、最大偏芯量ｅを４０μｍとすると、制限領域（Ａ）の幅Ａｗは６８μｍとなる。
本実施の形態においては、前記制限領域Ａを設けて、この制限領域Ａの幅Ａｗがｅ＋Ｄ／２と等しいかそれ以上に設定することによって、第１層目の記録状態が第２層目の記録へ影響しないようにする。
【００１７】
図４は本発明の実施の形態１に係る光記録ディスクのパワー調整領域１１０の詳細な構成例を示した図である。
図４において、１００は光ディスク、１０２は第１層目の記録層、１０３は第２層目の記録層を示している。図４及び後述の図５乃至図７には、図２に示した基板１０６及びスペーサ１０７は省略してある。
【００１８】
第１層目１０２でのパワー調整領域１１０は第１層目１０２での最適記録パワーを調整するための第１層用パワー調整領域Ｐ１と、プリライト領域ＰＷとから成り立っている。
第２層目１０３でのパワー調整領域１１０は第２層目１０３での最適記録パワーを調整するための第２層用パワー調整領域Ｐ２と、第２層目１０３ではパワー調整領域として使用しない、第１層用パワー調整領域Ｐ１に対応する位置に存在する非使用領域Ｂと、上記説明した２層ディスクの貼り合わせのズレとビーム径の影響とを考慮した制限領域Ａ１、Ａ２とから成り立っている。第２層用パワー調整領域Ｐ２の両側（径方向の内側及び外側）に、制限領域Ａ１、Ａ２が位置している。
プリライト領域ＰＷは第２層用のパワー調整領域Ｐ２に制限領域Ａ１、Ａ２を加えた領域をディスクメーカが製品出荷前に、最適記録パワーで予め記録しておく領域である。
【００１９】
第１層用パワー調整領域Ｐ１におけるパワー調整は図に示す様に、領域Ｘ１、Ｘ２、・・・Ｘｎの順番で光ディスク１００の外周部から内周へ順番に使用する。個々のパワー調整領域内においては、図の矢印で示すように、内周から外周へ、試し記録が行われる。また、パワー調整に用いた領域を管理するために、光ディスク１００の記録管理領域１１１（図１）には、使用したアドレス情報を記録することができる領域を設けて、調整したパワー値の結果等と共に記録する。
【００２０】
第２層用パワー調整領域Ｐ２におけるパワー調整は図に示す様に、Ｙ１、Ｙ２、・・・Ｙｎの順番で光ディスク１００の内周部から外周部へ順番に使用する。個々のパワー調整領域内においては、図の矢印で示すように、外周から内周へ、試し記録が行われる。また、パワー調整に用いた領域を管理するために、光ディスク１００の記録管理領域１１１（図１）には、使用したアドレス情報を記録することができる領域を設けて、調整したパワー値の結果等と共に記録する。
【００２１】
第１層用パワー調整領域Ｐ１と第２層用パワー調整領域Ｐ２は同じサイズの領域を確保するものとすると、プリライト領域ＰＷのサイズは一義的に決まる。
光ディスク１００の例えば互換性用領域１１２（図１）のディスク管理領域には、プリライト終了位置Ｑｍでのプリライト終了アドレス情報（プリライト領域の記録最終端のアドレス）を記録する領域を設けておく。また、プリライト終了アドレスの代わりにプリライトを実施したかどうかのフラグ情報（判別情報）を記録しても良いし、プリライト終了アドレスとフラグ情報とを合わせて記録してもよい。
なおまた、記録管理領域１１１に上記のプリライト終了アドレス情報或いはフラグ情報を記録するようにしても良い。
【００２２】
以上のように、本実施の形態１によれば、第２層目の記録層１０３に制限領域Ａ１，Ａ２を設けているので、第２層目の記録層１０３への記録時にビーム径やディスクの貼り合わせ誤差による影響を受けないディスクを提供することができる。
また、プリライト領域ＰＷをディスクメーカが予め記録しておくことで、ユーザサイドで光ディスク装置によってプリライト領域を記録する必要が無いため、光ディスク装置での記録立ち上げ時間を短くすることができる。
【００２３】
また、プリライト終了位置Ｑｍでのプリライト終了アドレス及び／又はフラグ情報を光ディスク１００の互換性用領域１１２のディスク管理領域に記録するようにしているため、光ディスク１００のプリライト領域が既に記録されているかどうか、またパワー調整に使用できる領域の範囲及び位置が容易にわかる。
【００２４】
上記実施の形態では、第１層用パワー調整領域Ｐ１と第２層用パワー調整領域Ｐ２は同じサイズの領域を確保する場合について示したが、プリライト終了アドレスを光ディスク１００の互換性用領域１１２のディスク管理領域に記録するため、第１層用パワー調整領域Ｐ１と第２層用パワー調整領域Ｐ２とは異なるサイズで確保することも可能である。
【００２５】
実施の形態２．
図５は本発明の実施の形態２に係る光記録ディスクのパワー調整領域１１０の構成例を示した図である。図において、１００、１０２、１０３、各領域は上記実施の形態と同様である。なお、以下の実施の形態２〜４においては、実施の形態１と異なる場合についてのみ説明する。
【００２６】
実施の形態１では、プリライト領域ＰＷをディスクメーカが予め記録していたが、本実施の形態２では、プリライト領域の記録は光ディスク装置が実施する。そのため、未使用の光ディスク１００のプリライト領域ＰＷは未記録状態となる。
この場合、ディスクメーカはプリライト領域ＰＷへの記録を行わないが、光ディスク１００の例えば互換性用領域１１２のディスク管理領域にプリライト終了アドレスとして位置Ｑｓのアドレス情報を記録する。または、プリライト終了アドレスの情報として全てゼロを記録しても良い。あるいは、プリライト終了アドレスの代わりにプリライトを実施したかどうかのフラグ情報を記録しても良い。
【００２７】
光ディスク装置は、未使用の光ディスクではプリライト領域ＰＷが記録されていないため、第２層用パワー調整領域Ｐ２を使用する前までにプリライト領域ＰＷへのプリライトが必要である。プリライト領域ＰＷへの記録は位置Ｑｓからプリライト終了位置Ｑｍまで実施する。プリライト終了位置Ｑｍは、第１層用パワー調整領域Ｐ１と第２層用パワー調整領域Ｐ２を同じサイズで確保する場合であれば、制限領域Ａ１、Ａ２の幅とパワー調整領域１１０で一義的に決まる値である。
【００２８】
光ディスクの記録管理領域１１１には、プリライト終了位置Ｑｍのアドレス情報を記録する領域を設けており、光ディスク装置は、プリライト領域ＰＷへの記録を実施した時に記録管理領域１１１へプリライト終了位置Ｑｍのアドレスを記録することができる。また、記録管理領域１１１へ記録情報を記録する時に、光ディスク装置がプリライト領域ＰＷを記録していない場合は、記録管理領域１１１のプリライト終了アドレス情報に位置Ｑｓのアドレスを記録することで、プリライト領域ＰＷへの記録が行なわれていないことを記録することができる。または、プリライト終了アドレスの情報として全てゼロを記録しても良い。あるいは、プリライト終了アドレスの代わりに、又は合わせてプリライトを実施したかどうかのフラグ情報を記録しても良い。
【００２９】
このプリライト終了アドレス情報及び／又はフラグ情報は、第１層目の記録管理領域１１１に記録しても第２層目の記録管理領域１１１に記録してもよい。ただし、第２層目の記録管理領域１１１は、図１〜３を用いて説明したように、第１層目の記録されているか否かの影響を受けるため、第１層目の記録管理領域１１１から順に記録していき、第１層目の記録管理領域１１１がすべて記録されてから、第２層目の記録管理領域１１１へと記録する方がよい。また、第１層目に関する情報は第１層目の記録管理領域１１１に記録し、第２層目に関する情報を記録する際に、第１層目の記録管理領域１１１をすべて記録した後で、第２層目の記録管理領域１１１へと記録してもよい。ただし、第２層目の記録管理領域１１１は、第２層用パワー調整領域Ｐ２と同様の理由から、制御領域を両側に配置することが必要であるため、記録管理領域１１１として確保できる領域が第１層目の記録管理領１１１より少なくなる。そのため、第１層目に関する情報か第２層目に関する情報かに関わらず、第１層目の記録管理領域１１１から順に記録していき、第１層目の記録管理領域１１１がすべて記録されてから、第２層目の記録管理領域１１１へと記録する方がよい。
【００３０】
プリライト領域ＰＷへの記録を除けば、第１層用パワー調整領域Ｐ１と第２層用パワー調整領域Ｐ２の構成は実施の形態１と同様である。
【００３１】
以上のように、本実施の形態２によれば、プリライト領域ＰＷへの記録をディスクメーカが実施せずに、光ディスク装置が実施するため、ディスクメーカがディスク作成にかかる時間を短くすることができる。また、第２層目の記録層１０３に制限領域Ａ１，Ａ２を設けているので、第２層目の記録層１０３への記録時にビーム径やディスクの貼り合わせ誤差による影響を受けないディスクを提供することができる。
【００３２】
また、プリライト終了位置Ｑｍでのプリライト終了アドレスを光ディスク１００の記録管理情報１１１に記録するようにしているため、光ディスク１００のプリライト領域が既に記録されているかどうか、またパワー調整に使用できる領域の範囲及び位置が容易にわかる。
【００３３】
上記実施の形態では、第１層用パワー調整領域Ｐ１と第２層用パワー調整領域Ｐ２は同じサイズの領域を確保する場合について示したが、プリライト終了アドレスを光ディスク１００の光ディスク１００の記録管理情報１１１に記録するため、第１層用パワー調整領域Ｐ１と第２層用パワー調整領域Ｐ２とは異なるサイズで確保することも可能である。
【００３４】
実施の形態３．
図６は本発明の実施の形態３に係る光記録ディスクのパワー調整領域１１０の構成例を示した図である。
図６において、１００、１０２、１０３、各領域は図１と同様である。また、図においてＡｗは制限領域で指定した幅を示し、位置Ｑｈ、位置Ｑｉ、位置Ｑｊは固定でなく、パワー調整やプリライト領域ＰＷの追記により変動する。
【００３５】
実施の形態１では、プリライト領域ＰＷの全てをディスクメーカが予め記録していたが、本実施の形態３では、プリライト領域ＰＷの一部のみをディスクメーカが予め最適記録パワーで記録している。このように予め最適パワーで記録された領域を初期プリライト済領域ＰＸ０と呼ぶ。この初期プリライト済領域ＰＸ０は、第２層用パワー調整領域Ｐ２の内周側に位置する制限領域Ａ１と、第２層用パワー調整領域Ｐ２で初回のパワー調整に使用される予定の領域Ｙ１と、第２層用パワー調整領域Ｐ２で初回のパワー調整に使用される予定の領域Ｙ１の外周側の端部から制限領域の幅Ａｗ以上の幅を有する領域Ｐｚ１とを含んでいる。つまり、第２層目の記録層１０３における初回のパワー調整に使用する領域Ｙ１のみで制限領域Ａ１、Ａ２を考慮した幅となっている。
【００３６】
ディスクメーカは、記録したプリライト済領域の終了位置Ｑｍのアドレス情報を、光ディスク１００の例えば記録管理領域１１１に記録する。
【００３７】
第１層用パワー調整領域Ｐ１及び第２層用パワー調整領域Ｐ２におけるパワー調整順、及び記録しておくアドレス情報や調整したパワー値は、上記実施の形態と同様である。ここで、第１層用パワー調整領域Ｐ１と第２層用パワー調整領域Ｐ２の領域サイズは固定ではなく、第１層用パワー調整領域Ｐ１の終了位置（内周側端部）Ｑｉと第２層用パワー調整領域Ｐ２の終了位置Ｑｈ（外周側端部）の間の領域Ｇａが、制限領域の幅Ａｗ以下にならない限り、自由に使用できる。
【００３８】
ここで、第２層用パワー調整領域Ｐ２で２回目にパワー調整を行う際は、２回目のパワー調整を行う前に、プリライト終了位置Ｑｊ１と当該２回目のパワー調整に使用する領域Ｙ２との間の部分Ｐｚ２が制限領域の幅Ａｗ以上となる様に、プリライト終了位置Ｑｍから位置Ｑｊ１までの領域Ｕ１に光ディスク装置により追記を行う。追記を行った後、第２層用パワー調整領域Ｐ２のうちの領域Ｙ２でパワー調整を実施する。また、追記の終了位置Ｑｊ１のアドレスをプリライト終了位置のアドレス情報として光ディスク１００の記録管理領域１１１に記録する。
【００３９】
さらに第２層用パワー調整領域Ｐ２で３回目にパワー調整を行う際は、３回目のパワー調整を行う前に、プリライト終了位置Ｑｊ２と当該３回目のパワー調整に使用する領域Ｙ３との間の部分が制限領域の幅Ａｗ以上となる様に、位置Ｑｊ１から位置Ｑｊ２までの領域に光ディスク装置により追記を行う。追記を行った後、第２層用パワー調整領域Ｐ２のうちの領域Ｙ３でパワー調整を実施する。また、追記の終了位置Ｑｊ２のアドレスをプリライト終了位置のアドレス情報として光ディスク１００の記録管理領域１１１に記録する。
【００４０】
第２層用パワー調整領域Ｐ２で３回目以降のパワー調整を行う際も２回目、３回目と同様にプリライト済領域の終了位置とパワー調整に使用する領域Ｙｉとの間の部分が制限領域の幅Ａｗ以上となる様に、随時追記を行い、追記した終了位置のアドレスをプリライト終了位置のアドレス情報として光ディスク１００の記録管理領域１１１に記録する。プリライト終了位置のアドレス情報は、アドレス値が異なる度ごと又はプリライトを行う度ごとに逐次追加記録していく。ただし、光ディスクが追記型ではこのような逐次追加記録する方法となるが、書換え可能型の場合は上書きしてもよい。
【００４１】
ここで、１回のパワー調整毎にプリライト領域ＰＷの追記を行うことにしているが追記する領域サイズは任意であり、パワー調整に使用する領域から、プリライトされている領域までの間の部分が制限領域の幅Ａｗ以下とならなければ良い。言い換えると、プリライト領域ＰＷの長さがパワー調整領域Ｐ２とその両側に位置する制限領域Ａ１、Ａ２との和で定義される領域の長さよりも長くなるようにプリライト領域ＰＷの追加記録を行うこととすれば良い。
また、初回のパワー調整に使用する領域Ｙ１から、ディスクメーカによる初期プリライト済領域ＰＸ０の外周側端部までの間の部分（Ｐｚ１）が制限領域の幅Ａｗ以下となる場合は、初回のパワー調整前に制限領域の幅Ａｗが最低限確保できる領域をプリライト領域ＰＷに追記する必要がある。
【００４２】
以上のように、本実施の形態３によれば、第２層目の記録層１０３に制限領域を設けているので、第２層目の記録層１０３への記録時にビーム径やディスクの貼り合わせ誤差による影響を受けないディスクを提供することができる。また、第２層用パワー調整の初回分に対応した領域Ｙ１のみをディスクメーカがプリライトすることとしているため、ディスクメーカがディスク作成時にかかる時間を短くすると共に、光ディスク装置でのプリライト量が制限領域を考慮した追記分のみで良い為、光ディスク装置における記録時の立ち上げ時間を短くすることができる。
また、第１層用パワー調整領域と、第２層用パワー調整領域の終了位置を固定せず、制限領域の幅のみで制限している為、パワー調整領域を光ディスク装置によって自由に利用することができる。
【００４３】
プリライト終了位置のアドレスを光ディスク１００の記録管理領域に記録するようにしているため、光ディスク１００のプリライト領域やパワー調整に使用できる領域の範囲及び位置が容易にわかる。
なお、ディスクメーカによってプリライトする領域は、第２層用パワー調整の初回分に対応した領域に限らず、第２層用パワー調整の最初の数回分であってよく、この領域は上記条件を満たす限り適宜設定することができる。
【００４４】
実施の形態４．
図７は本発明の実施の形態４に係る光記録ディスクのパワー調整領域１１０の構成例を示した図である。図において、プリライト領域ＰＷがディスクメーカによって全く記録されていない事以外は、図６と同様である。
【００４５】
本実施の形態４では、ディスクメーカは、ディスク管理領域のプリライト終了位置のアドレス情報として、位置Ｑｓのアドレスを記録する。または、プリライト終了アドレスの情報として全てゼロを記録しても良い。あるいは、プリライト終了アドレスの代わりにプリライトを実施していないことを示すフラグ情報を記録しても良い。
【００４６】
プリライト領域ＰＷがディスクメーカによって全く記録されていない為、第２層用パワー調整領域Ｐ２で初回パワー調整を実施するまでに、初回プリライト領域Ｕ１をユーザサイドで光ディスク装置により記録する。初回プリライトでは、第２層用パワー調整領域Ｐ２での初回パワー調整領域Ｙ１の外周側端部からプリライト終了位置Ｑｍまでの間の部分Ｐｚ１が制限領域の幅Ａｗ以上となるような初回プリライト領域Ｕ１の幅を定める。また、プリライトを行った後、プリライト終了位置Ｑｍのアドレスをプリライト終了位置のアドレス情報として光ディスク１００の記録管理領域１１１に記録する。
【００４７】
初回プリライトを実施した後は、実施の形態３と同様に、第２層用パワー調整領域のパワー調整を実施する領域Ｙｉからプリライト終了位置Ｑｍまでの間の部分が制限領域の幅Ａｗ以下とならないように、随時プリライト領域ＰＷで追記を行いながら、第２層用パワー調整領域におけるパワー調整を行う。
【００４８】
以上の様に、本実施の形態４によれば、第２層目の記録層１０３に制限領域を設けているので、第２層目の記録層１０３への記録時にビーム径やディスクの貼り合わせ誤差による影響を受けないディスクを提供することができる。また、プリライト領域ＰＷへの記録をディスクメーカが実施せずに、光ディスク装置が実施するため、ディスクメーカがディスク作成にかかる時間を短くすることができる。
【００４９】
また、光ディスク装置での初回プリライト領域Ｕ１を第２層用パワー調整の初回分の領域Ｙ１に対応した領域のみとし、随時追記を行うようにしているため、光ディスク装置における記録時の立ち上げ時間を短くすることができる。
また、第１層用パワー調整領域と、第２層用パワー調整領域の終了位置を固定せず、制限領域の幅のみで制限している為、パワー調整領域を光ディスク装置によって自由に利用することができる。
プリライト終了位置のアドレスを光ディスク１００の記録管理領域に記録するようにしているため、光ディスク１００のプリライト領域やパワー調整に使用できる領域の範囲及び位置が容易にわかる。
【００５０】
上記の実施の形態１〜４において、光ディスクとしては、追記型光ディスク、書換え可能型光ディスク等の記録可能な光ディスクである。また、２層から構成されるものについて示したが、３層以上であってもよく、その場合、ビーム１０１（記録光）からみて第１層目以外の層、即ち第２層目以上において、上記の制限領域を設けるようにすればよい。
なお、実施の形態１〜４においては、パワー調整領域内に第２層用パワー調整領域を設ける場合について説明したが、当該第２層用パワー調整領域は、パワー調整領域外に設けるようにしてもよい。なお、パワー調整領域外に第２層用パワー調整領域を設ける場合においても、実施の形態１〜４と同様に、当該第２層パワー調整領域と制限領域とを合わせた領域に対応する第１層の領域にプリライト領域を設ける。
【００５１】
実施の形態５．
図８はこの発明の実施の形態５である光ディスク装置１を示すものである。光ディスク装置１は上位コントローラと接続されており、例えば記録時には、光ディスク装置１のフォーマッタ２０２は、図示しない上位コントローラからのデータをバッファメモリ２１０に格納した後、誤り訂正符号を付加し、変調規則に従って変調し、記録データを光ディスク２０６のフォーマットにしたがって、データの配置を行う。
【００５２】
配置された記録データは光ディスク２０６に記録される前に、最適なマークが形成されるように、パルスストラテジ生成回路２０３にてパルス列状に変調されて、レーザ駆動回路２０４の駆動信号として入力され、光ヘッド２０５を介して光ディスク２０６にデータが記録される。光ディスク２０６としては、実施の形態１−４のいずれの光ディスクであってもよい。
【００５３】
光ヘッド２０５の位置決めは以下のようにして行われる。
光ヘッド２０５からの再生信号が前置増幅回路２０７にて増幅され、フォーマッタ２０２に入力される。入力された信号はフォーマッタ２０２にてアドレス情報の復号が行われ、光ヘッド２０５の現在位置が得られる。現在位置にて得られたアドレス情報からアクセス対象のアドレス情報の差分をサーボ回路２０８に与えることにより、サーボ回路２０８が光ヘッド２０５をアクセス対象の位置へ移動させる。
【００５４】
データ領域の記録動作には、予め、パワー調整領域１１０にて試し書きが行われ、記録した領域を再生することにより、再生波形をＯＰＣ（最適パワー制御）演算回路２０９にて評価を行い、評価結果をシステムコントローラ２１２に供給し、システムコントローラ２１２でレーザ駆動回路２０４を制御することにより、記録パワーの最適化が行われる。
【００５５】
上記一連の動作の制御は、光ディスク装置１のシステムコントローラ２１２にて行われ、システムコントローラ２１２中のプログラムメモリに制御プログラムが格納されている。
【００５６】
実施の形態１〜４に示される片面２層構造ディスクにおいて、各層でのパワー調整動作を伴う記録動作を図９のフローにて説明する。なお、実施の形態１〜４に示されるいずれの光ディスクであっても、図９の同一フローが適用される。
【００５７】
まず、パワー調整領域（Ｐ１、Ｐ２）のアドレス、プリライト終了アドレスを取得するために、光ヘッド２０５をディスク管理領域および記録管理領域に位置決めし、再生する（Ｓ１）。なお、ステップＳ１においては、ディスク管理領域を再生することにより、プリライトを実施したかどうかのフラグ情報、あるいはプリライト終了アドレスを取得するため、光ディスクが実施の形態１〜４のいずれであるかの識別は容易にできる。
【００５８】
次に、第１層目へのデータ記録の実行中かどうか、即ち第２層目が未記録かどうかの判定をする（Ｓ２）。
第２層目が未記録で、第１層目へのデータ記録の実行中と判断した場合（ステップＳ２のＹＥＳの場合）、第１層用パワー調整を実行する位置がプリライト終了位置より径方向外側にあり、かつパワー調整に必要な容量分外側にあるかの判断（Ｓ３）を行い、そのような条件が満たされている場合は第１層用パワー調整領域Ｐ１にてパワー調整を行い（Ｓ４）、第１層目のデータ記録を実行する（Ｓ５）。データ記録後は、記録管理領域処理としてプリライト終了位置のアドレス情報を更新せずに終了する（Ｓ６）。
【００５９】
一方、ステップＳ３にて第１層用パワー調整を実行する位置とプリライト終了位置により、パワー調整が不可となった場合（ステップＳ３でＮＯの場合）には第１層目の記録は不可となり、続くデータ記録は第２層目にて実行するため、第２層用パワー調整領域Ｐ２にてパワー調整を行い（Ｓ８）、第２層目のデータ記録を実行する（Ｓ９）。データ記録後は、記録管理領域処理としてプリライト終了位置のアドレス情報を更新せずに終了する（Ｓ６）。
【００６０】
ステップＳ２にて第２層目への記録を実行すべきであると判断された場合（Ｓ２のＮＯの場合）、第２層用パワー調整を実行する位置がプリライト終了位置より径方向内側で、かつ第２層用パワー調整を実行する位置とプリライト終了位置との距離が制限領域Ａ２の幅Ａｗより大きく、第２層用パワー調整領域Ｐ２にてパワー調整を実行可能かの判断（Ｓ７）を行い、上記の条件が満たされており、パワー調整が可能な場合は、第２層用パワー調整領域Ｐ２にてパワー調整を行い（Ｓ８）、第２層目のデータ記録を実行する（Ｓ９）。データ記録後は、記録管理領域処理としてプリライト終了位置のアドレス情報を更新せずに終了する（Ｓ６）。
【００６１】
一方、ステップＳ７の判断にて第２層用パワー調整実行不可の場合は、プリライト終了位置を第１層用パワー調整を実行した位置まで最大拡張可能であるため、実施の形態２乃至４に関して示したようにプリライト終了位置の拡張(プリライト済領域の拡張)を行う（Ｓ１０）。その後、第２層用パワー調整領域Ｐ２にてパワー調整を行い（Ｓ８）、第２層目のデータ記録を実行する（Ｓ９）。データ記録後は、記録管理領域処理としてプリライト終了位置のアドレス情報の更新を行う（Ｓ６）。
【００６２】
Ｓ１０でのプリライト終了位置の拡張方法は、実施の形態２に関して説明したように一度に第１層用パワー調整を実行した位置まで行うことも可能であるが、実施の形態３及び４に関して示したように、プリライト終了位置の拡張時間短縮のため、第２層用パワー調整を実行した場合の位置とプリライト終了位置との距離が制限領域Ａ２の幅Ａｗを最低限確保するようにプリライト終了位置を拡張することも可能である。
【００６３】
なお、プリライトを実施したかどうかをプリライト終了位置のアドレス情報ではなく、フラグ情報で判別する場合には、図９のステップＳ６の記録管理処理において、アドレス情報ではなく、フラグ情報を更新する。
【００６４】
また、図９のＳ１０でのプリライト終了位置拡張は、記録動作と同期した形を取っているが、光ディスク装置に光ディスクが挿入された時、光ディスク装置が光ディスクにプリライトが実行されていない、あるいは第２層目の記録を想定してプリライト終了位置を拡張させる必要があると予め判断した場合には、その時点にて光ディスク装置がプリライト終了位置を拡張させることも可能である。また、この時のプリライト拡張方法も、一度に実行することも、光ディスク装置の空き処理に複数回に分けて実行することも可能である。
【図面の簡単な説明】
【００６５】
【図１】実施の形態における光ディスクを示した図である。
【図２】実施の形態における光ディスクの記録層とビームの関係を示した図である。
【図３】実施の形態における第１層目と第２層目の位置のズレを示した図である。
【図４】実施の形態１における光ディスクのパワー調整領域の構成を示した図である。
【図５】実施の形態２における光ディスクのパワー調整領域の構成を示した図である。
【図６】実施の形態３における光ディスクのパワー調整領域の構成を示した図である。
【図７】実施の形態４における光ディスクのパワー調整領域の構成を示した図である。
【図８】実施の形態５における光ディスク装置を示した図である。
【図９】実施の形態５における各記録層でのパワー調整動作フローを示した図である。
【符号の説明】
【００６６】
１００、２０６  光ディスク、  １０１  ビーム、  １０２  第１層目の記録膜、  １０３  第２層目の記録膜、  １１０  パワー調整領域、  １１１  記録管理領域、  １１２  互換性用領域、  １１３  データ記録領域、  １１４  互換性用領域、  １２０  光ピックアップの対物レンズ、  ２０２  フォーマッタ、  ２０３  パルスストラテジ生成回路、  ２０４  レーザ駆動回路、  ２０５  光ヘッド、  ２０７  前置増幅回路、  ２０８  サーボ回路、  ２０９  ＯＰＣ（最適パワー制御）演算回路、  ２１０  バッファメモリ。
【図１】
2007134026.tif 000003
【図２】
2007134026.tif 000004
【図３】
2007134026.tif 000005
【図４】
2007134026.tif 000006
【図５】
2007134026.tif 000007
【図６】
2007134026.tif 000008
【図７】
2007134026.tif 000009
【図８】
2007134026.tif 000010
【図９】
2007134026.tif 000011